(57)【要約】【課題】  ノンインパクトプリンタで共通情報を印字でき、表面に記入した事項を各複写帳票片に複写可能に構成され、更に、複写帳票をプリンタのカセット等に積み上げる場合でも、段差による傾きが生じないようにした複写帳票を提供する。【解決手段】  表面に記入事項を表示する記入事項表示部を有し、上側に重ねられた複写帳票片ほど長さ寸法が短く形成された複写帳票片が複数枚重ね合わされ、前記複数枚の複写帳票片が発色剤と顕色剤との反応により発色するノーカーボン複写方式により複写記入可能に構成され、一端側で綴じ合わされてなる複写帳票であって、前記複数枚の複写帳票片のうち、最上位の複写帳票片を除く他の複写帳票片には、各複写帳票片ごとに、上位の複写帳票片が重なり合わない表面領域上に用紙片が貼付され、前記複写帳票片上に貼付された用紙片の枚数が、該複写帳票片の上位に重なり合う複写帳票片の枚数と同じ枚数である。【選択図】        図１
2009051069.tif 000002
【特許請求の範囲】
【請求項１】
表面に記入事項を表示する記入事項表示部を有し、上側に重ねられた複写帳票片ほど長さ寸法が短く形成された複写帳票片が複数枚重ね合わされ、前記複数枚の複写帳票片が発色剤と顕色剤との反応により発色するノーカーボン複写方式により複写記入可能に構成され、一端側で綴じ合わされてなる複写帳票であって、
前記複数枚の複写帳票片のうち、最上位の複写帳票片を除く他の複写帳票片には、各複写帳票片ごとに、上位の複写帳票片が重なり合わない表面領域上に用紙片が貼付され、
前記複写帳票片上に貼付された用紙片の枚数が、該複写帳票片の上位に重なり合う複写帳票片の枚数と同じ枚数であることを特徴とする複写帳票。
【請求項２】
前記複写帳票片上に貼付された用紙片の表面が、ノンインパクトプリンタで印字するための印字部であることを特徴とする請求項１記載の複写帳票。
【請求項３】
前記複数枚の複写帳票片が、最上位のノーカーボントップ紙と、中位のノーカーボンミドル紙と、最下位のノーカーボンボトム紙とからなる３枚の複写帳票片であることを特徴とする請求項１記載の複写帳票。
【請求項４】
前記複数枚の複写帳票片が綴じ合わされている上端側が、ノンインパクトプリンタに対する給紙方向の先端側に設けられていることを特徴とする請求項１記載の複写帳票。
【発明の詳細な説明】
【技術分野】
【０００１】
本発明は、表面に記入事項を表示する記入事項表示欄と、ノンインパクトプリンタで印字するプリンタ印字欄とを有する複数枚の複写帳票片が重ね合わされ、上端側で綴じ合わされた構成を有する複写帳票に関する。
【背景技術】
【０００２】
従来、修理伝票や作業伝票といった書類や申込み書類等で用いられている複写伝票は、ノーカーボン用紙といわれる感圧発色する複写用の用紙を使用し、処理されている。（例えば、特許文献１参照）
この帳票には、共通の情報を、ドットインパクトプリンタを用い、加圧複写させることで、各枚目に予め印字させ、その後、ユーザーに必要事項を記入してもらうなどし、各帳票ごとに切り離し、お客様控え片、部品貼付片、業者控え片といった用途に分けられ、それぞれ使用されている。
【０００３】
しかし、ドットインパクトプリンタは、印字速度が遅く、大量処理などに不向きである。
また、近年のカット紙用のレーザープリンタやインクジェットプリンタ等を含めたノンインパクトプリンタの高速化と低価格化に伴い、他の一般の書類や帳票の印字には、既にこれらのノンインパクトプリンタが十分に普及してきているという状況にある。
このため、複写帳票においても、ノンインパクトプリンタを使用して共通事項の印字を行うと共に、記入事項については複写することで、様々なニーズに対応した複写帳票が求められている。
【０００４】
通常、複写帳票を複写させるためには、加圧印字することが必須であり、加圧方式でないノンインパクトプリンタでの複写は原理的に困難なため、現在用いられている方法の一例としては、予め複写帳票の各枚目ごとに別々に印字しておき、印字後に、各枚目の情報が合っているかの確認をし、丁合いを行うといった形で使用されている。
しかしながら、これらの方法では、手作業である場合が多く、マッチングミスが発生しやすく手間も掛かり、また、各枚目を別々に印字するために、印字にかかる時間が増えるといった問題がある。
【０００５】
また、その他の方法として、一枚もしくは貼り合わせ用紙等を用いて、折り返した時に対向するように、顕色剤と発色剤を塗布した帳票を用い、共通情報を両面印字した後、折り返すことで複写可能とし、その後、ユーザーが記入して複写し、切り離すといった方法も取られている。（例えば、特許文献２参照）
しかしながら、この方法では、両面印字可能なプリンタが必要であり、まだまだ両面印字可能なプリンタは普及が不十分であることから一般的に使用しにくく、更に、現在普及されているプリンタはＡ３サイズの用紙までが一般的であることから、３つ折り以上のスペースになると、折り返し複写を行うためには、１片の帳票が小さくなるためスペースに制約が生じるという問題がある。
【０００６】
また、重ねられた複数枚の複写帳票片の長さ寸法が異なる複写帳票を、プリンタで印字処理する場合には、複写帳票をプリンタのカセット等に積み上げた場合に、複数枚の複写帳票片による段差の影響で傾きが生でやすく、高積みできないため、作業性や効率が低下するという問題がある。
【０００７】
【特許文献１】特開平１０−２４６７６号
【特許文献２】特開平１０−１５７３４０
【発明の開示】
【発明が解決しようとする課題】
【０００８】
そこで、本発明は、一端側で複数枚の複写帳票片が綴じ合わされてなる複写帳票であって、ノンインパクトプリンタで共通情報を各複写帳票片に印字することができると共に、表面に記入した事項を各複写帳票片に複写可能に構成することで、ノンインパクトプリンタで高速に印字処理を行え、更に、複写帳票をプリンタのカセット等に積み上げる場合でも、段差による傾きが生じないようにした複写帳票を提供する。
【課題を解決するための手段】
【０００９】
本発明の複写帳票は、表面に記入事項を表示する記入事項表示部を有し、上側に重ねられた複写帳票片ほど長さ寸法が短く形成された複写帳票片が複数枚重ね合わされ、前記複数枚の複写帳票片が発色剤と顕色剤との反応により発色するノーカーボン複写方式により複写記入可能に構成され、一端側で綴じ合わされてなる複写帳票であって、前記複数枚の複写帳票片のうち、最上位の複写帳票片を除く他の複写帳票片には、各複写帳票片ごとに、上位の複写帳票片が重なり合わない表面領域上に用紙片が貼付され、前記複写帳票片上に貼付された用紙片の枚数が、該複写帳票片の上位に重なり合う複写帳票片の枚数と同じ枚数であることを特徴とする。
【００１０】
また、本発明の複写帳票は、前記複写帳票片上に貼付された用紙片の表面が、ノンインパクトプリンタで印字するための印字部であることを特徴とする。
【００１１】
更に、本発明の複写帳票は、前記複数枚の複写帳票片が、最上位のノーカーボントップ紙と、中位のノーカーボンミドル紙と、最下位のノーカーボンボトム紙とからなる３枚の複写帳票片であることを特徴とする。
【００１２】
また、本発明の複写帳票は、前記複数枚の複写帳票片が綴じ合わされている上端側が、ノンインパクトプリンタに対する給紙方向の先端側に設けられていることを特徴とする。
【発明の効果】
【００１３】
本発明の複写帳票は、複数枚の複写帳票片のうち、最上位の複写帳票片を除く他の複写帳票片には、各複写帳票片ごとに、上位の複写帳票片が重なり合わない表面領域上に用紙片が貼付されているので、ノンインパクトプリンタで共通情報を各複写帳票片に印字することができると共に、表面に記入した事項を各複写帳票片に複写可能に構成することで、ノンインパクトプリンタで高速に印字処理を行え、更に、複写帳票をプリンタのカセット等に積み上げる場合でも、段差による傾きが生じないという効果がある。
【発明を実施するための最良の形態】
【００１４】
以下、本発明の実施形態に係る複写帳票を、図面に基づいて説明する。
図１には、本発明の実施形態に係る複写帳票の平面図が示され、図２には、図１のＡ−Ａ線断面図が示されている。
【００１５】
図１及び図２に示すように、本発明の実施形態に係る複写帳票１は、３枚の複写帳票片２ａ，２ｂ，２ｃが重ね合わされ、それらの一端側で接着剤３により接着されて綴じ合わされている。
この複写帳票１は、ノンインパクトプリンタを用いて印字処理を行うが、接着剤３により綴じ合わされている一端側が、ノンインパクトプリンタに対して給紙する際の先頭側となる部分に設けられる。
図１に示す場合においては、ノンインパクトプリンタへの給紙方向４を上方向と設定した場合が示されているので、複写帳票１の上方向の一端側で綴じ合わされている。
【００１６】
３枚の複写帳票片２ａ，２ｂ，２ｃの表面には、それぞれ表面に記入事項を表示する記入事項表示部５が設けられている。
図１には示されていないが、記入事項表示部５は、３枚の複写帳票片２ａ，２ｂ，２ｃの表面において、同位置に設けられている。
また、３枚の複写帳票片２ａ，２ｂ，２ｃは、発色剤と顕色剤との反応により発色するノーカーボン複写方式により複写記入可能に構成されており、最上位にある複写帳票片２ａの記入事項表示部５に記入された内容が、下位にある複写帳票片２ｂ，２ｃの記入事項表示部５に対して複写可能に構成されている。
【００１７】
つまり、図２に示すように、複写帳票片２ａの裏面には、発色剤層７が設けられ、また、複写帳票片２ｂの表面には、顕色剤層８が設けられ、複写帳票片２ｂの裏面には、発色剤層７が設けられ、更に、複写帳票片２ｃの表面には、顕色剤層８が設けられており、最上位にある複写帳票片２ａの記入事項表示部５に記入された内容が、下位にある複写帳票片２ｂ，２ｃの記入事項表示部５に対して複写可能に構成されている。
このように、複写帳票１は、複数枚の複写帳票片２ａ，２ｂ，２ｃが、最上位のノーカーボントップ紙と、中位のノーカーボンミドル紙と、最下位のノーカーボンボトム紙とからなる３枚の複写帳票片により構成されている。
【００１８】
複数枚の複写帳票片２ａ，２ｂ，２ｃは、上側に重ねられた複写帳票片ほど長さ寸法が短く形成されている。
ここで言う長さ寸法とは、接着剤３により綴じ合わされている一端側を基準とした複写帳票片の長さ寸法である。
複数枚の複写帳票片２ａ，２ｂ，２ｃの長さ寸法が異なるように形成されていることで、重ね合わされている複写帳票片２ａ，２ｂ，２ｃの下位に存在している、全ての複写帳票片の一部表面が階段状に表出した状態として構成されている。
【００１９】
そして、複数枚の複写帳票片２ａ，２ｂ，２ｃのうち、最上位の複写帳票片２ａを除く他の複写帳票片２ｂ，２ｃには、各複写帳票片ごとに、上位の複写帳票片が重なり合わない表面領域上に用紙片９，１０，１１が接着剤１２，１３，１４により貼付されている。
つまり、複写帳票片２ｂには、最上位の複写帳票片２ａと重なり合わない表面領域に、用紙片１１が接着剤１４により貼付されている。
また、複写帳票片２ｃには、上位の複写帳票片２ｂと重なり合わない表面領域に、用紙片９が接着剤１２により貼付され、更にその用紙片９の上側に用紙１０が接着剤１３により貼付されている。
【００２０】
用紙片９，１０，１１が複写帳票片に貼付されていることで、重ねられた複写帳票片の長さ寸法が異なっていても、段差が生じないように構成されている。
そして、複写帳票片上に貼付された用紙片１０，１１の表面が、ノンインパクトプリンタで印字するための印字部１５となっている。
この印字部１５は、共通情報を印字するための印字部となっている。
また、最上位の複写帳票片２ａの表面にもノンインパクトプリンタで印字するための印字部１５が設けられている。
これにより、ノンインパクトプリンタを用いて複写帳票１に印字処理を行う場合でも、段差の少ない状態で各々の印字部１５に対して印字処理を行うことができる。
【００２１】
また、本発明の複写帳票は、ノンインパクトプリンタへの給紙方向を横方向と設定した場合には、ノンインパクトプリンタへの給紙する際の先頭となる部分であって、複写帳票１の横方向の一端側で綴じ合わされた構成とする。
そして、複写帳票１の横方向の一端側で綴じ合わされた一端部を基準とした複写帳票片の横方向の長さ寸法を、重ね合わされた複数枚の複写帳票片ごとに、重ね合わされた上側に位置する複写帳票片ほど短く形成させる。
【００２２】
また、本発明の複写帳票は、上記の実施形態で示した３枚の複写帳票片２ａ，２ｂ，２ｃに限定されるものではなく、２枚の複写帳票片、又は４枚以上の複写帳票片を重ね合わせた構成であってもよい。
【図面の簡単な説明】
【００２３】
【図１】本発明の実施形態に係る複写帳票の平面図である。
【図２】図１のＡ−Ａ線断面図である。
【符号の説明】
【００２４】
１  複写帳票
２ａ，２ｂ，２ｃ  複写帳票片
３  接着剤
４  ノンインパクトプリンタへの給紙方向
５  記入事項表示部
６  プリンタ印字部
７  発色剤層
８  顕色剤層
９，１０，１１  用紙片
１２，１３，１４  接着剤
【図１】
2009051069.tif 000003
【図２】
2009051069.tif 000004